(57)【要約】      （修正有）【課題】キラーコンテンツをＶＲの世界で体感しようとする手段として、１秒で利用・収納でき、没入感を獲得でき、スマホだけを使うときに、ＶＲ機器が邪魔にならず、ポケットサイズにできるものとして、いつでも、手軽に持ち運びができて、スマートホンだけの利用にも邪魔にならない、スマホと一体で誰しもが手軽に持てて使えるＶＲ機器を一体型にしたケースを提供する。【解決手段】大きさは皆が手にもつ手帳と同じ大きさで、スマホなどの映像機器とＶＲ機器を一体型のケース（１）にしてＶＲを視聴するときに、１秒でＶＲを視聴でき、さらにスマホだけ使いたいときは１秒でＶＲ機器を仕舞える。没入感を得る為に視野を暗くするため、視聴するときは、カバー部分を輪の部分から指でスライドさせて、視野を暗くしてＶＲを視聴するときに一番重要な没入感を獲得できる。【選択図】なし【特許請求の範囲】
【請求項１】
大きさは皆が手にもつ折り畳みの手帳と同じ大きさで、スマホなどの映像機器とＶＲ機器を一体型のケースにして
スマホだけを使いたいときは、手帳を開いてすぐ使える。そして、ＶＲを視聴したい時には
そのまま、図２．ａのぽっちをひらくと１秒でＶＲを視聴できる形状に変化できる。
手段はとってもシンプルです。
１秒で  ＶＲを視聴・体感できるように図２．ａのぽっちをひらくと
図４．Ａの点線の部分に形状記憶のワイヤー．もしくは薄い板が入っているため、ワイヤー．もしくは薄い板が真っ直ぐにもどろうとする力を利用して図１．３の
レンズ版が自動で開き、図４．Ｂの止め具にひっかかり、蓋カバーの部分とレンズ版が９０度になる。
図２．ｂの装着ケースの下部分に溝があるため、図１．５の端をカチっとはめて固定し
図４．Ｄの視野を暗くする下部のカバーは、図４．Ｃのゴムの力で、
自然とレンズ版と９０度の形になり図５の状態になる。
図２．ａのぽっちを外すだけで、ワンタッチでＶＲを視聴できる図５のかたちになるため、非常につかいやすい。
図２の状態から図５になるまでの時間は１秒です。
スマホだけを使い時は  図１．７をレンズ版と共に畳むと、すぐに図２の状態になる。
図５から図２の状態になるまでの時間も１秒です。
このアイデアと手段そのものが請求項１です。
いたってシンプルなつくりです。
【請求項２】
ＶＲを体感するときに、一番重要になる没入感を得るために、図１．５に装着されている図１．６の
カバーを図５．１の輪の部分から指で出し入れして利用することで視野を暗くし没入感を獲得できる。
また図１．７の部分も視野の下部分を覆うため視野を暗くし、没入感を獲得できる。
図１．９の柄の部分も必要に応じて、出し入れできる。
【請求項３】
図１．１０  おでこがフィットするためのへこみがあり、隙間が空かないようにしている。
【請求項４】
図１．２の部分の中央部と図１．７の中央部分が、レンズの形に合わせ、二つ丸く凹んでいるため、
折り畳んだときに、かさばらず薄さを保持できる。
【発明の詳細な説明】
【技術分野】
【０００１】    本発明はスマートフォンやそれ以外の映像機器をを装着して仮想現実機器映像を体感する装置において、重さと体積を画期的に減縮してポケットにいれて持ち運びができるだけではなく、普段の生活において手帳のように一体型としても使えるため、
スマートフォンそのものの機能も失わず、手軽にＶＲ機器を体感し、さらに★没入感を獲得できる。
ＶＲを視聴するときにも、１秒でＶＲを視聴できる形態に自動で変化する工夫をしているため、利用しやすく。
ＶＲを使わないときも、すぐに収納できる。
ＶＲを使うとき、使わないときも１秒で利用・収納できる。
【背景技術】
【０００２】  従来のＶＲ機器は、とにかく、メチャでっかい。ごっつい。仰々しい。料金も高い。
一部の人しか仮想現実体験の感動！！喜び！！興奮を味わえてない。
これからの未来に、世界中の約７０億の皆が、手軽にＶＲを体感できるようになれば、新しい技術や、アイデアが生まれやすくなり、
次なる時代の新しい世界を人類が切り開くきっかけになるはずなのに現状はそれを著しく妨げている理由に、
デバイスの使いづらさを解決できてない。【０００３】ＶＲの本質は鑑賞ではなく、仮想現実に没入し体感することである。
この５年後以内の未来にいざ、世界中の人間がＶＲを体感しようとしたときに、必ず現在のスマホと一体型で
持ち運びができて、さらにＶＲを視聴するときに、ＶＲの本質である★没入感を求めるのに対し、現状そのニーズを埋めているデバイスがない。
【発明の概要】
【発明が解決しようとする課題】
【０００４】    たとえば、満員電車の通勤途中の電車の中で自分が座っている時を想像してほしいんですが、
その時ＶＲを視聴しようとしたとき、現在の大きいデバイスだと、見た目的にも違和感があるのと、
いちいちゴソゴソするので隣の人に迷惑になる。視野も周りの景色が邪魔になり仮想現実体感に、一番必要な感覚である没入感を獲得できない。
さらに今後の未来に自撮り棒などで３６０度カメラで録画したものを女子高生などが、その場ですぐに再生したいときに、
ポケットに入れてすぐ見れないのと、スマートフォンだけを使いたいときにＶＲの機器が
邪魔になってしまう。【０００５】    したがって、ポイントは３点。
１．１秒で使える
２．ポケットサイズ。
３．没入感の獲得
誰もが、今ある生活の中で違和感無くスムーズに見たり、ポケットにしまったり出来ることが本発明の解決課題となる。
余計な機能をつけずシンプルなつくりにする。
【課題を解決するための手段】
【０００６】  手段はとってもシンプルです。
大きさ．薄さは、普段みんなが、手に持っている手帳型と同じくらいのもの。
ＶＲを視聴・体感するときは図２．ａのぽっちをひらくと
図４．Ａの部分に形状記憶のワイヤーが入っているため、図１．３の
レンズ版が自動で開き、図４．Ｂの止め具にひっかかり、ＶＲを視聴できる図５のかたちになる。
スマホを使いたいときは、図１．７をレンズ版と共に畳むと、すぐに図２の状態になる。
利用する時、しない時、どちらもかかる時間は１秒。【０００７】  手帳のように折り畳みのスマホケースになっているため、普段皆がつかっているスマホ手帳くらいの厚さで
スマホとＶＲ機器を一体型で持ち運びできる。
図６の状態でポケットに簡単に入れて持ち運べる。【０００８】  没入感を得る為に視野を暗くするため、視聴するときは、あらかじめ図１．５のなかに図１．６のカバー部分が装着されており、図５．１の輪の部分から
指でスライドさせて、視野を暗くしてＶＲを視聴するときに一番重要な没入感を獲得できる。
イメージとしては、全世界の皆が手軽に手に取れるＶＲ機器のユニクロ版です。
【発明の効果】
【０００９】  この５年内の未来に、人々がＶＲ機器を必要とする時に
ポケットに入れられるくらい小さくもちやすい。
そしてＶＲを利用するときに、利用者はかならず没入感が欲しくなるという欲求を満たすことができる。【００１０】  現在インターネット利用者は大体４０億人くらいでＶＲ利用者は世界で２００万人程度
この何年かでＶＲの利用者が１０億．２０億と増えていく時に、使いやすさを邁進させることで、世の中の進歩を促進させることができる。【００１１】  ＶＲは、インターラクティブのコストカットにもなる。
たとえば、今はお化け屋敷に行きたいとなった場合、何らかの交通手段を使って、その場所にいき入場料を払い、
アトラクションを楽しむといった、人類が当たり前と思っていたその手順を、ＶＲの機器を使うことで、
その場所にいくまでの時間と、費用などをスッポリ中抜きできる。
遊園地だけでなく、通勤、通学手段などにおいてもＶＲの機器を庶民の生活に根付かせることで、社会全体が大きく
発展し、同時に無駄を省くことができるようになる。
そのための第一歩として、用意に持ち歩くことができて、使いたい時すぐ使えて、使わないときすぐ仕舞える
シンプルなつくりのデバイスが人の役にたつ。
【図面の簡単な説明】
【図１】  すべて開いたとき。
【図２】  手帳開いたとき。
【図３】  ぽっちを開いたとき
【図４】  ＶＲ視聴前
【図５】  ＶＲ視聴中
【図６】  畳んでるとき
【発明を実施するための形態】
【実施例】
【００１２】  まず図６の状態から、図２に開く。
図２．ａのぽっちをひらくと
図４．Ａの部分に形状記憶のワイヤーが入っているため、ワイヤーが真っ直ぐにもどろうとする力を利用して図１．３の
レンズ版が自動で開き、図４．Ｂの止め具にひっかかり、蓋カバーの部分とレンズ版が９０度になる。
図２．ｂの装着ケースの上下に溝があるため、図１．５をの端をカチっとはめて固定し
図４．Ｄの視野を暗くする下部のカバーは、図４．Ｃのゴムの力で、
自然とレンズ版と９０度の形になる。
あとは図５．１の輪の部分から視野を暗くするためのカバーを指でスライドさせて出して、
状況に応じて柄の部分を出して使えるようにしてある。
図２．ａのぽっちを外すだけで、ワンタッチでＶＲを視聴できる図５のかたちになるため、非常につかいやすい。
図２の状態から図５になるまでの時間は１秒。【００１３】  スマートフォンだけを使いたいときは
図１．３のレンズ版と図１．７を畳むだけで、
すぐ図２の状態に１秒でもどり、スマホだけ使う時にも
邪魔にならない。【００１４】  持ち運びするときは図６の状態にしていれば
誰のポケットにも入れられる。
【産業上の利用可能性】
【００１５】ここ５年内にＶＲを視聴するためのデバイスとして、
人類が必要とする。
【符号の説明】図１
１  装着ケース
２  蓋カバー
３  レンズ版
４  拡大レンズ
５  視野を暗くするためのカバー
６  視野を暗くするためのかばー（通常時は５の中に装着されている）
７  視野を暗くするためのカバー  下部分
８  おでこがフィットするためのみぞ
９  柄
図２
ａ  ぽっち
ｂ  溝
図４．
Ａ  形状を記憶するワイヤー  もしくは、板。
Ｂ  とめぐ
Ｃ  ゴム  もしくはゴムのようなもの
Ｄ  溝
図５．
１．輪（図１．６を指でスライドさせるための輪）
【受託番号】
【・・・・】
【図１】
2019055165.tif 000002
【図２】
2019055165.tif 000003
【図３】
2019055165.tif 000004
【図４】
2019055165.tif 000005
【図５】
2019055165.tif 000006
【図６】
2019055165.tif 000007